(57)【要約】【課題】ユーザの視力に応じた画像を表示する。【解決手段】表示装置は、複数の要素画素群を含み、前記複数の要素画素群のそれぞれが再生像を表示するための要素画像を表示する、表示モジュールと、複数の要素レンズを含み、前記複数の要素画素群の前に前記複数の要素レンズの各要素レンズが配置されている、要素レンズアレイと、複数のディオプタ調整素子を含み、複数の要素レンズの各要素レンズの前に、ディオプタ調整素子が配置されている、ディオプタ調整素子アレイと、制御部と、を含み、前記制御部は、前記複数のディオプタ調整素子の一部を、ユーザの眼の一方の視力に対して制御し、前記複数のディオプタ調整素子の他の部分を、前記ユーザの眼の他方の視力に対して制御する。【選択図】図１Ａ
2019056738.tif 000002
【特許請求の範囲】
【請求項１】
複数の要素画素群を含み、前記複数の要素画素群のそれぞれが再生像を表示するための要素画像を表示する、表示モジュールと、
複数の要素レンズを含み、前記複数の要素画素群の前に前記複数の要素レンズの各要素レンズが配置されている、要素レンズアレイと、
複数のディオプタ調整素子を含み、複数の要素レンズの各要素レンズの前に、ディオプタ調整素子が配置されている、ディオプタ調整素子アレイと、
制御部と、
を含み、
前記制御部は、
前記複数のディオプタ調整素子の一部を、ユーザの眼の一方の視力に対して制御し、
前記複数のディオプタ調整素子の他の部分を、前記ユーザの眼の他方の視力に対して制御する、
表示装置。
【請求項２】
請求項１に記載の表示装置であって、
前記制御部は、
前記ユーザの視力についての情報に基づいて、前記再生像の位置を決定し、
前記位置に基づいて前記複数の要素画素群それぞれの前記要素画像を生成する、
表示装置。
【請求項３】
請求項１に記載の表示装置であって、
前記制御部は、前記再生像の位置に基づいて、前記ユーザの眼それぞれの視力に対して制御するディオプタ調整素子を、前記複数のディオプタ調整素子から選択する、
表示装置。
【請求項４】
請求項１に記載の表示装置であって、
前記制御部は、
前記複数のディオプタ調整素子を、前記ユーザから前記ディオプタ調整素子アレイを視る方向を基準として、左右方向に複数の領域に分割し、
前記複数の領域の一部を、前記ユーザの眼の前記一方の視力に対して制御し、
前記複数の領域の他の一部を、前記ユーザの眼の前記他方の視力に対して制御する、
表示装置。
【請求項５】
請求項４に記載の表示装置であって、
前記複数の領域は、前記複数のディオプタ調整素子の左半分の領域と右半分の領域で構成されている、
表示装置。
【請求項６】
請求項４に記載の表示装置であって、
前記複数の領域は、右側領域、左側領域及び前記右側領域と前記左側領域の間の中央領域とで構成され、
前記制御部は、
前記右側領域を、前記ユーザの眼の前記一方の視力に対して制御し、
前記左側領域を、前記ユーザの眼の前記他方の視力に対して制御し、
前記中央領域を、前記ユーザのより悪い視力に対して制御する、
表示装置。
【請求項７】
請求項１に記載の表示装置であって、
前記制御部は、前記ディオプタ調整素子アレイを通過した光が集光することなく前記ユーザの眼に入射するように、前記ディオプタ調整素子アレイを制御する、
表示装置。
【請求項８】
請求項１に記載の表示装置であって、
前記制御部は、
前記再生像が前記表示モジュールの前に位置するように前記要素画像を生成し、
前記ディオプタ調整素子アレイを通過した光が集光した後に前記ユーザの眼に入射するように、前記ディオプタ調整素子アレイを制御する、
表示装置。
【請求項９】
請求項１に記載の表示装置であって、
前記制御部は、
前記複数のディオプタ調整素子の前記一部に対向する要素画像を表示した状態で、前記ユーザの眼の前記一方を指定したユーザ入力に応じて、前記複数のディオプタ調整素子の前記一部のディオプタ値を調整し、
前記複数のディオプタ調整素子の前記他の部分に対向する要素画像を表示した状態で、前記ユーザの眼の前記他方を指定したユーザ入力に応じて、前記複数のディオプタ調整素子の前記他の部分のディオプタ値を調整する、
表示装置。
【請求項１０】
請求項１に記載の表示装置であって、
さらに、前記ユーザの視線を追跡する視線追跡センサを含み、
前記制御部は、視線追跡装置の測定結果に基づいて、前記ディオプタ調整素子アレイにおいて、前記複数のディオプタ調整素子の前記一部と前記他の部分とを決定する、
表示装置。
【発明の詳細な説明】
【技術分野】
【０００１】
本開示は、表示装置に関する。
【背景技術】
【０００２】
ディスプレイ装置を使用する計算機や携帯端末の普及、また、老齢人口の増加に伴い、眼鏡やコンタクトレンズ等の視力補正器具を利用する人の人口は益々増加している。一般に、人の左眼と右眼の視力は異なっており、視力補正器具は、視力が異なる左眼と右眼それぞれのために適切に眼に入射する光の進路を補正する。
【０００３】
例えば、特開２０１４−０３８３０２号公報は、視力の異なる使用者、左右の視力が異なる使用者が、簡単な操作により、異なる距離にある視認対象物を、個別に、明瞭に視認することができる汎用性のある可変焦点眼鏡を開示している。
【先行技術文献】
【特許文献】
【０００４】
【特許文献１】特開２０１４−０３８３０２号公報
【発明の概要】
【発明が解決しようとする課題】
【０００５】
人の視力は変化するため、現在使用している眼鏡又はコンタクトレンズの度数が、ユーザにとって最適であるとは限らない。また、視力の悪いユーザが裸眼で表示画像を視認できれば、ユーザの助けとなる。したがって、表示装置がユーザの視力に応じた画像を表示することができる技術が望まれる。
【課題を解決するための手段】
【０００６】
本開示の一態様は、複数の要素画素群を含み、前記複数の要素画素群のそれぞれが再生像を表示するための要素画像を表示する、表示モジュールと、複数の要素レンズを含み、前記複数の要素画素群の前に前記複数の要素レンズの各要素レンズが配置されている、要素レンズアレイと、複数のディオプタ調整素子を含み、複数の要素レンズの各要素レンズの前に、ディオプタ調整素子が配置されている、ディオプタ調整素子アレイと、制御部と、を含み、前記制御部は、前記複数のディオプタ調整素子の一部を、ユーザの眼の一方の視力に対して制御し、前記複数のディオプタ調整素子の他の部分を、前記ユーザの眼の他方の視力に対して制御する、表示装置である。
【発明の効果】
【０００７】
本開示の一態様によれば、ユーザの視力に応じた画像を表示することができる。
【図面の簡単な説明】
【０００８】
【図１Ａ】本実施形態に係る、視力補正表示装置の論理構成例を模式的に示す。
【図１Ｂ】視力補正表示装置のハードウェア構成例を模式的に示す。
【図１Ｃ】視力補正表示モジュールの構成例を模式的に示す。
【図２Ａ】元画像の一例を示す。
【図２Ｂ】ユーザに視認される像を、視力補正表示モジュールの前、つまり、視力補正表示モジュールとユーザとの間に形成するための、要素画像を示す。
【図３Ａ】液晶レンズが存在しない場合の、要素画素群の一点からの光線を模式的に示す。
【図３Ｂ】液晶レンズによる再生像の補正を模式的に示す。
【図４Ａ】図３Ａを参照した説明を、左右の眼の双方に適用する例を示す。
【図４Ｂ】図３Ｂを参照した説明を、左右の眼の双方に適用する例を示す。
【図５Ａ】液晶レンズが存在しない場合の、要素画素群の一点からの光線を模式的に示す。
【図５Ｂ】液晶レンズによる再生像の補正を模式的に示す。
【図６】図５Ｂを参照した説明を、左右の眼の双方に適用する例を示す。
【図７Ａ】元画像の一例を示す。
【図７Ｂ】ユーザに視認される像を、視力補正表示モジュールの背後、つまり、視力補正表示モジュールとユーザとの間に形成するための、要素画像を示す。
【図８Ａ】液晶レンズが存在しない場合の、要素画素群の一点からの光線を模式的に示す。
【図８Ｂ】液晶レンズによる再生像の補正を模式的に示す
【図９Ａ】図８Ａを参照した説明を、左右の眼の双方に適用する例を示す。
【図９Ｂ】図８Ｂを参照した説明を、左右の眼の双方に適用する例を示す。
【図１０】表示制御部の処理フローを示す。
【図１１】近視のユーザのために再生像を補正する視力補正表示モジュールを模式的に示す。
【図１２】右眼用領域及び左眼用領域が接する領域近傍を模式的に示す。
【図１３】遠視のユーザのために再生像を補正する視力補正表示モジュールを模式的に示す。
【図１４】右眼用領域及び左眼用領域が接する領域近傍を模式的に示す。
【図１５】右眼用領域と左眼用領域とが接する領域の近傍で表示される要素画像は、右眼及び左眼の双方によって視認され得ることを模式的に示す。
【図１６】液晶レンズアレイのディオプタ制御の他の例を示す。
【図１７】視力補正表示装置の他の論理構成例を模式的に示す。
【発明を実施するための形態】
【０００９】
以下、添付図面を参照して本発明の実施形態を説明する。本実施形態は本発明を実現するための一例に過ぎず、本発明の技術的範囲を限定するものではないことに注意すべきである。
【００１０】
以下に開示される視力補正表示装置は、インテグラルフォトグラフィの原理に基づくインテグラルイメージングを利用する。インテグラルイメージングは、立体像（再生像）を表示する技術である。インテグラルイメージングは、複数の要素画像からの光を、複数の要素画像それぞれに対応するマイクロレンズ（要素レンズ）を通して照射することで、特定の位置に再生像を形成する。
【００１１】
複数のマイクロレンズからの光線は、再生像の位置に実際の物体が存在する場合に、その物体からの光線を再現した光線であり、ユーザは、特殊な眼鏡を使用することなく、再生像を視認することができる。なお、インテグラルフォトグラフィ及びインテグラルイメージングは、広く知られた技術であり詳細な説明を省略する。
【００１２】
本開示の視力補正表示装置は、表示モジュールと、表示モジュールの前に配置されたマイクロレンズアレイと、マイクロレンズアレイの前に配置された液晶レンズアレイ（ディオプタ調整素子アレイ）と、を含む。各マイクロレンズの前に、対応する液晶レンズ（ディオプタ調整素子）が配置される。マイクロレンズは要素レンズであり、液晶レンズはディオプタ調整素子の例であり、液晶レンズアレイとは、ディオプタ調整素子アレイの例である。表示モジュールは、インテグラルフォトグラフィの原理に基づく複数の要素画像を表示する。
【００１３】
要素画像の数は、マイクロレンズの数に一致する。要素画像は、それぞれ、異なるマイクロレンズに対応しており、各要素画像からの光線は、対応するマイクロレンズを通って、液晶レンズアレイに入射する。液晶レンズは、焦点可変レンズであり、つまり、ディオプタ可変レンズである。液晶レンズと異なる焦点可変レンズが使用されてもよい。
【００１４】
コントローラは、ユーザの視力に応じて要素画像及び液晶レンズアレイを制御する。各要素画像を変更することで、再生像の位置を変更することができる。ユーザに視認される再生像の位置は、視力補正表示装置の前又は背後である。視力補正表示装置は、例えば、近視のユーザのために視力補正表示装置の前に再生像を表示し、遠視のユーザのために視力補正表示装置の背後に再生像を表示する。
【００１５】
コントローラは、ユーザの左右それぞれの視力に対して、液晶レンズアレイの右眼の視力又は左眼の視力に対応する液晶レンズを制御する。具体的には、コントローラは、各液晶レンズのディオプタを、ユーザの右眼の視力又は左眼の視力に対して調整する。このように要素画像及び液晶レンズアレイを制御することで、様々な視力のユーザに対して、適切な画像を表示することができる。
【００１６】
以下において、図面を参照して本実施形態を具体的に説明する。各図において共通の構成については同一の参照符号が付されている。説明をわかりやすくするため、図示した物の寸法、形状については、誇張して記載している場合もある。
【００１７】
［装置構成］
図１Ａに、本実施形態に係る、視力補正表示装置１の論理構成例を模式的に示す。視力補正表示装置１は、表示制御部１０及び視力補正表示モジュール２０を含む。表示制御部１０は、要素画像生成部１１及び液晶レンズ制御部１３を含む。視力補正表示モジュール２０は、表示モジュール２１、マイクロレンズアレイ（要素レンズアレイ）２３、及び液晶レンズアレイ２５を含む。
【００１８】
表示モジュール２１は、例えば、液晶表示モジュール又はＯＬＥＤ（Ｏｒｇａｎｉｃ  Ｌｉｇｈｔ  Ｅｍｉｔｔｉｎｇ  Ｄｉｏｄｅ）表示モジュールである。表示モジュール２１の種類は問わない。表示モジュール２１は、例えば、マトリックス状に配置された複数の画素を含む表示パネルと、表示パネルの画素を駆動する駆動回路及びその制御回路を含む。
【００１９】
要素画像生成部１１は、ユーザの視力情報５１に基づき、元画像（データ）５３から複数の要素画像（データ）を生成する。要素画像生成部１１は、生成した要素画像を、表示モジュール２１に送信する。表示モジュール２１は、生成された複数の要素画像を一つの画面において表示する。
【００２０】
液晶レンズ制御部１３は、ユーザの視力情報５１に基づき、液晶レンズアレイ２５を制御する。具体的には、液晶レンズ制御部１３は、ユーザの視力情報５１に基づき、液晶レンズアレイ２５の各液晶レンズのディオプタ（焦点距離）を制御する。後述するように、液晶レンズ制御部１３は、一つの液晶レンズのディオプタを、ユーザの右眼又は左眼の一方の視力に応じて制御する。
【００２１】
液晶レンズ制御部１３は、さらに、ユーザ操作に応じて、液晶レンズアレイ２５を制御する。液晶レンズ制御部１３は、右眼及び左眼それぞれに対するユーザ入力を受け、右眼及び左眼それぞれに対応する液晶レンズのディオプタを調整する。これにより、ユーザの実際の視力より即した画像を表示できる。
【００２２】
図１Ｂに、視力補正表示装置１のハードウェア構成例を模式的に示す。視力補正表示装置１は、例えば、携帯情報端末（スマートフォンのような携帯電話を含む）に組み込まれている。
【００２３】
視力補正表示装置１は、視力補正表示モジュール２０に加え、制御装置１０２及び入力デバイス１２７を含む。制御装置１０２は、例えば、計算機構成を有することができる。具体的には、制御装置１０２は、例えば、プロセッサ１２１、入出力インタフェース（入出力Ｉ／Ｆ）１２２、通信インタフェース（通信Ｉ／Ｆ）１２３、補助記憶装置１２５、及びメモリ１２６を含む。これらはバスを介して接続されている。
【００２４】
入出力インタフェース１２２は、複数のポートを含み、複数の外部デバイスと接続され得る。入出力インタフェース１２２は、外部プロトコルと内部プロトコルとの間の変換を行う。図１Ｂにおいて、入出力インタフェース１２２には、視力補正表示モジュール２０が接続される。表示モジュール２１及び液晶レンズアレイ２５への制御信号は、入出力インタフェース１２２から送信される。
【００２５】
入出力インタフェース１２２は、さらに、入力デバイス１２７に接続されている。入力デバイス１２７は、ユーザに操作されるデバイスであって、例えば、タッチパネルデバイス（表示デバイスと共に使用される）や操作ボタンである。入力デバイス１２７からの信号は、入出力インタフェース１２２により受信される。
【００２６】
通信インタフェース１２３は、所定のプロトコルに従って、他の装置との通信を制御するネットワークインタフェース装置である。通信インタフェース１２３は、外部メモリと接続するためのインタフェースを含んでもよい。
【００２７】
補助記憶装置１２５は、例えば、フラッシュメモリデバイス等の不揮発性記憶装置であり、プロセッサ１２１が実行するプログラム及びプログラムの実行時に使用されるデータを格納する。本例において、補助記憶装置１２５は、元画像５３を格納している。元画像５３は、視力補正表示モジュール２０によって立体表示される画像である。補助記憶装置１２５は、複数の元画像を格納し得る。元画像５３は静止画像であるが、複数の元画像により、動画像を構成することができる。
【００２８】
一般に、補助記憶装置１２５に格納されているデータは、メモリ１２６にロードされて使用される。メモリ１２６は、例えば、揮発性メモリであり、プロセッサ１２１が実行するプログラム及びプログラムの実行時に使用されるデータを格納する。補助記憶装置１２５、メモリ１２６及びこれらの組み合わせは、それぞれ、記憶装置である。
【００２９】
プロセッサ１２１は、メモリ１２６に格納されたプログラムを実行する。プロセッサ１２１は、プログラムに従って動作することによって、所定の機能を実現する機能部（手段）として動作する。例えば、プロセッサ１２１は、要素画像生成プログラムに従って動作することで要素画像生成部１１として機能し、液晶レンズ制御プログラムに従って動作することで液晶レンズ制御部１３として機能する。
【００３０】
本例において、要素画像生成部１１及び液晶レンズ制御部１３は、プロセッサ１２１により実装されているが、これらの機能を有する論理回路がプロセッサ１２１とは別に実装されてもよい。
【００３１】
図１Ｃに、視力補正表示モジュール２０の構成例を模式的に示す。ユーザは、方向３３から、視力補正表示モジュール２０を視る。即ち、本開示において、ユーザは、視力補正表示モジュール２０の前から、画像を視る。つまり、ユーザ側が視力補正表示モジュール２０の前側であり、その反対側は後側である。
【００３２】
図１Ｃに示すように、表示モジュール２１の前にマイクロレンズアレイ２３が配置され、マイクロレンズアレイ２３の前に液晶レンズアレイ２５が配置されている。表示モジュール２１は、マトリックス状に配置された複数の画素（画素アレイ）を含む。
【００３３】
マイクロレンズアレイ２３は、マトリックス状に配置された複数のマイクロレンズ（要素レンズ）を含む。マイクロレンズは、例えば、半凸レンズである。一つのマイクロレンズが、対応する複数の画素（要素画素群）と対向する。一つのマイクロレンズに対向する要素画素群が、一つの要素画像を表示する。一つのマイクロレンズに対向する要素画素群からの光が、そのマイクロレンズに入射する。
【００３４】
一つのマイクロレンズの前に、一つの液晶レンズが対向して配置される。マイクロレンズを通過した光は、対向する液晶レンズを通過して、ユーザの眼に向かう。各液晶レンズは、ディオプタを変更可能であり、通過する光の発散度を制御する。
【００３５】
本開示において、発散度は、光の発散度合を示す。平行光の発散度は０であり、発散角度が大きくなるほど、発散度は大きくなる。収束光は、負の発散度を有し、収束角度が大きくなるほど発散度の絶対値が大きくなる。このように、本開示においては、発散光及び収束光共に、その角度が発散度によって表わされる。発散度の制御は、例えば、平行光を発散させる又は収束させる。
【００３６】
［液晶レンズによる近視補正］
以下において、液晶レンズによる視力補正を説明する。まず、液晶レンズによる近視の視力補正を説明する。ユーザが近視の場合、視力補正表示装置１は、視力補正表示モジュール２０の前の位置で視認される像を表示する。図２Ａに元画像５３の一例を示す。元画像５３は、アルファベット「ＡＢＣ」を示す。元画像５３を囲む破線矩形枠は、要素画素群の表示領域の外形に対応する。本例においては、表示される再生像は、奥行が０の立体像、つまり、平面像である。元画像５３は、奥行が視認される立体像を表示するための情報を含んでもよい。
【００３７】
図２Ｂに、ユーザに視認される像を、視力補正表示モジュール２０の前、つまり、視力補正表示モジュール２０とユーザとの間に形成するための、要素画像５３１を示す。各要素画素群２１１が、一つの要素画像５３１を表示する。各要素画素群２１１は、元画像５３の再生像を特定の位置でユーザに視認させるために適切な要素画像５３１を表示する。
【００３８】
要素画像５３１は、元画像５３を面内で１８０度回転させた向きを有する。要素画素群２１１が表示する要素画像５３１の位置は、表示モジュール２１の表示領域の中心に向かってシフトしている。要素画素群２１１内での要素画像５３１の位置及び形状を変化させることで、再生像位置を変化させる、例えば、再生像位置をユーザに近づける、又は、ユーザから遠ざけることができる。
【００３９】
図３Ａに、液晶レンズが存在しない場合の、要素画素群２１１の一点からの光線を模式的に示す。図３Ａの例において、一つの要素画素群２１１に一つのみのマイクロレンズ２３１が対向する。要素画素群２１１の一点からの発散光は、要素画素群２１１に対向するマイクロレンズ２３１に入射する。発散光はマイクロレンズ２３１による屈折により、平行光に変化する。
【００４０】
要素画素群２１１の一点からの光は、当該点とマイクロレンズ２３１の中心を通る直線方向に平行に進む。この直線方向は、主光線４１と一致する。平行光において、主光線４１と周辺光線４３は平行である。マイクロレンズ２３１からの平行光は、ユーザの眼３０に入射する。
【００４１】
異なる要素画像５３１の同一点からの光の主光線４１は、再生像の点ａで交差する。ユーザは、視認方向における点ａを通過した光を、再生像の点ａからの光として認識する。図３Ａの例において、距離Ｘは、表示モジュール２１の法線方向における、点ａと眼３０との間の距離、つまり、再生像と眼３０と間の距離を示す。このように、インテグラルイメージングは、物体からの反射光を再現して、再生像をユーザに認識させることができる。
【００４２】
図３Ａが示す状態において、眼３０の視力は近視であり、再生像からの光の焦点位置Ｆ１は、網膜の手前である。この状態において、ユーザが眼３０により視認する再生像はぼやけており、はっきりと視認することができない。
【００４３】
図３Ｂに、液晶レンズ２５１による再生像の補正を模式的に示す。図３Ｂは、距離Ｘの再生像を近視のためにはっきりと視認できないユーザのための補正を示す。液晶レンズ２５１は、ディオプタｄ０を有する。ディオプタｄ０は負の値であり、液晶レンズ２５１は凹レンズとして機能する。
【００４４】
本例において、液晶レンズ２５１は、マイクロレンズ２３１からの平行光の発散度を大きくして、入射した平行光を発散光に変化させる。液晶レンズ２５１は、主光線４１の進行方向を維持しつつ、周辺光線４３の発散度合を大きくする。主光線４１は、液晶レンズ２５１が存在しない（液晶レンズのディオプタが０）である場合と同様に、点ａを通過する。
【００４５】
液晶レンズ２５１からの発散光は、ユーザの眼３０に入射する。眼３０への入射角度に変化により、眼３０への入射光の焦点が網膜の手前位置Ｆ１から網膜上の位置Ｆ０に移動する。液晶レンズ２５１が、周辺光線の拡がり度合いをこのように変化させることで、距離Ｘの再生像が補正されて、眼３０による再生像のはっきりとした視認を可能とする。液晶レンズ２５１による補正は、再生像をユーザの眼３０のより近くに移動することに相当する。近視の眼３０は、再生像が近くに移動することで、その光を網膜上に集光することができる。
【００４６】
図４Ａ及び図４Ｂに、図３Ａ及び図３Ｂを参照した説明を、左右の眼の双方に適用する例を示す。図４Ａは、液晶レンズアレイ２５が省略されている、又は、そのディオプタが０である構成を示す。一つの要素画像の再生像の一点に対応する点からの光は、マイクロレンズ２３１Ａを通過して、左眼３０Ｌに入射する。他の要素画像の再生像の上記一点に対応する点からの光は、マイクロレンズ２３１Ｂを通過して、右眼３０Ｒに入射する。
【００４７】
上述のように要素画像の一点から発散光は、マイクロレンズにより、平行光に変換される。マイクロレンズ２３１Ａ、２３１Ｂからの光の主光線は、共に点ａを通過する。点ａは、上記再生像の一点の位置である。
【００４８】
図４Ａの例において、右眼３０Ｒの視力は弱近視であり、左眼３０Ｌの視力は強近視である。右眼３０Ｒ及び左眼３０Ｌの焦点は共に網膜の手前であり、ユーザは右眼３０Ｒ及び左眼３０Ｌいずれによっても、再生像をはっきりと視認することができない。
【００４９】
図４Ｂに示すように、マイクロレンズ２３１Ａの前に液晶レンズ２５１Ａが配置され、マイクロレンズ２３１Ｂの前に液晶レンズ２５１Ｂが配置されている。液晶レンズ２５１Ａ及び液晶レンズ２５１Ｂは、それぞれ、マイクロレンズ２３１Ａ及びマイクロレンズ２３１Ｂからの光の進路を補正する。
【００５０】
表示制御部１０の液晶レンズ制御部１３は、液晶レンズ２５１Ａ及び液晶レンズ２５１Ｂのディオプタを独立に制御する。液晶レンズ制御部１３は、液晶レンズ２５１Ａ及び液晶レンズ２５１Ｂが負のディオプタを持つように制御する。さらに、液晶レンズ制御部１３は、液晶レンズ２５１Ａのディオプタｄ１を液晶レンズ２５１Ｂのディオプタｄ２よりも小さい（絶対値が大きい）値に設定する。
【００５１】
液晶レンズ２５１Ａ及び液晶レンズ２５１Ｂのからの主光線は、共に点ａを通過する。液晶レンズ２５１Ａからの発散光は強近視の左眼３０Ｌに入射し、液晶レンズ２５１Ｂからの発散光は弱近視の右眼３０Ｒに入射する。液晶レンズ２５１Ａからの光の発散度は、液晶レンズ２５１Ｂからの光の発散度よりも大きい。したがって、強近視の左眼３０Ｌ及び弱近視の右眼３０Ｒ共に、無理なく光を網膜上に集光することができる。
【００５２】
上述のように、右眼の視力と左眼の視力に差が存在する場合に、右眼の視力に対応する液晶レンズと左眼の視力に対応する液晶レンズを独立に制御することで、適切に視力補正を実現できる。
【００５３】
次に、液晶レンズによる再生像の他の補正方法を説明する。図３Ａから図４Ｂを参照して説明した方法は、液晶レンズによりマイクロレンズからの光の発散度を増加させ、液晶レンズからの発散光を眼に入射させることで、近視のための光の補正を行う。以下に説明する方法は、マイクロレンズからの光を液晶レンズにより眼の手前で集光させ、集光点からの発散光を眼に入射させる。以下に説明する構成において、一つの要素画素群に一つのみのマイクロレンズが対向する。
【００５４】
図５Ａ及び図５Ｂに、再生像の本補正方法を説明するための図である。図５Ａは、液晶レンズが存在しない場合の、要素画素群２１１の一点からの光線を模式的に示す。要素画素群２１１の一点からの発散光は、要素画素群２１１に対向するマイクロレンズ２３１に入射する。発散光はマイクロレンズ２３１による屈折により、平行光に変化する。
【００５５】
要素画素群２１１の一点からの光は、当該点とマイクロレンズ２３１の中心を通る直線方向に平行に進む。マイクロレンズ２３１からの平行光は、ユーザの眼３０に入射する。ユーザは、視認方向における点ａを通過した光を、再生像の点ａからの光として認識する。表示モジュール２１の法線方向における、点ａと眼３０との間の距離は、Ｘである。
【００５６】
図５Ａが示す状態において、眼３０の視力は近視であり、再生像からの光の焦点位置Ｆ１は、網膜の手前である。この状態において、ユーザが眼３０により視認する再生像はぼやけており、はっきりと視認することができない。
【００５７】
図５Ｂは、液晶レンズ２５１による再生像の補正を模式的に示す。図５Ｂは、距離Ｘの再生像を近視のためにはっきりと視認できないユーザのための補正を示す。液晶レンズ２５１は、ディオプタｄ０を有する。ディオプタｄ０は正の値であり、液晶レンズ２５１は凸レンズとして機能する。
【００５８】
本例において、液晶レンズ２５１は、マイクロレンズ２３１からの平行光の発散度を小さくして、入射した平行光を収束光に変化させる。液晶レンズ２５１は、主光線４１の進行方向を維持しつつ、周辺光線４３の発散度合を小さくする。したがって、主光線４１は、液晶レンズ２５１が存在しない（液晶レンズのディオプタが０）である場合と同様に、点ａを通過する。
【００５９】
液晶レンズ２５１からの収束光は、ユーザの眼３０の手前の点ｂで集光する。その後、点ｂからの発散光が眼３０に入射する。眼３０への入射角度に変化により、眼３０への入射光の焦点が網膜の手前位置Ｆ１から網膜上の位置Ｆ０に移動する。液晶レンズ２５１が、周辺光線の拡がり度合いをこのように変化させることで、距離Ｘの再生像が補正されて、眼３０による再生像のはっきりとした視認を可能とする。
【００６０】
液晶レンズ２５１による補正は、再生像をユーザの眼３０のより近くに移動することに相当する。近視の眼３０は、再生像が近くに移動することで、その光を網膜上に集光することができる。
【００６１】
図６に、図５Ｂを参照した説明を、左右の眼の双方に適用する例を示す。液晶レンズアレイ２５が省略されている、又は、そのディオプタが０である構成は、図４Ａを参照して説明した通りである。
【００６２】
図６に示すように、マイクロレンズ２３１Ａの前に液晶レンズ２５１Ａが配置され、マイクロレンズ２３１Ｂの前に液晶レンズ２５１Ｂが配置されている。液晶レンズ２５１Ａ及び液晶レンズ２５１Ｂは、それぞれ、マイクロレンズ２３１Ａ及びマイクロレンズ２３１Ｂからの光の進路を補正する。
【００６３】
表示制御部１０の液晶レンズ制御部１３は、液晶レンズ２５１Ａ及び液晶レンズ２５１Ｂのディオプタを独立に制御する。液晶レンズ制御部１３は、液晶レンズ２５１Ａ及び液晶レンズ２５１Ｂが正のディオプタを持つように制御する。さらに、液晶レンズ制御部１３は、液晶レンズ２５１Ａのディオプタｄ１を液晶レンズ２５１Ｂのディオプタｄ２よりも大きい値に設定する。
【００６４】
液晶レンズ２５１Ａ及び液晶レンズ２５１Ｂのからの主光線は、共に点ａを通過する。液晶レンズ２５１Ａからの収束光は、点ｂ１で集光する。点ｂ１からの発散光は、強近視の左眼３０Ｌに入射する。液晶レンズ２５１Ｂからの収束光は、点ｂ２で集光する。点ｂ２からの発散光は、弱近視の右眼３０Ｒに入射する。
【００６５】
点ｂ１と左眼３０Ｌとの間の距離Ｘｌは、点ｂ２と右眼３０Ｒとの間の距離Ｘｒよりも大きい。つまり、液晶レンズ２５１Ａと点ｂ１との間の距離は、液晶レンズ２５１Ｂと点ｂ２との間の距離よりも小さい。したがって、液晶レンズ２５１Ａからの収束光の収束度は、液晶レンズ２５１Ｂからの収束光の収束度よりも大きい。言い換えれば、液晶レンズ２５１Ａからの収束光の発散度は、液晶レンズ２５１Ｂからの収束光の発散度よりも小さい。
【００６６】
この結果、点ｂ１からの発散光の発散度は、点ｂ２からの発散光の発散度よりも大きくなる。したがって、強近視の左眼３０Ｌ及び弱近視の右眼３０Ｒ共に、無理なく光を網膜上に集光することができる。このように、右眼の視力と左眼の視力に差が存在する場合に、右眼の視力に対応する液晶レンズと左眼の視力に対応する液晶レンズを独立に制御することで、適切に視力補正を実現できる。
【００６７】
［液晶レンズによる遠視補正］
以下において、液晶レンズによる近視の視力補正を説明する。ユーザが遠視の場合、視力補正表示装置１は、視力補正表示モジュール２０の背後の位置で視認される像を表示する。図７Ａに元画像５３の一例を示す。元画像５３は、アルファベット「ＡＢＣ」を示す。元画像５３を囲む破線矩形枠は、要素画素群の表示領域の外形に対応する。本例においては、表示される再生像は、奥行が０の立体像、つまり、平面像である。元画像５３は、奥行が視認される立体像を表示するための情報を含んでもよい。
【００６８】
図７Ｂに、ユーザに視認される像を、視力補正表示モジュール２０の背後、つまり、視力補正表示モジュール２０とユーザとの間に形成するための、要素画像５３１を示す。各要素画素群２１１が、一つの要素画像５３１を表示する。各要素画素群２１１は、元画像５３の再生像を特定の位置でユーザに視認させるために適切な要素画像５３１を表示する。
【００６９】
要素画像５３１は、元画像５３と同一の向きを有する。要素画素群２１１が表示する要素画像５３１の位置は、表示モジュール２１の表示領域の中心から離れる方向にシフトしている。要素画素群２１１内での要素画像５３１の位置及び形状を変化させることで、再生像位置を変化させる、例えば、再生像位置をユーザに近づける、又は、ユーザから遠ざけることができる。
【００７０】
図８Ａに、液晶レンズが存在しない場合の、要素画素群２１１の一点からの光線を模式的に示す。図８Ａの例において、一つの要素画素群２１１に対して、一つのみのマイクロレンズ２３１が対向する。要素画素群２１１の一点からの発散光は、要素画素群２１１に対向するマイクロレンズ２３１に入射する。発散光はマイクロレンズ２３１による屈折により、平行光に変化する。
【００７１】
図８Ａの例において、距離Ｙは、表示モジュール２１の法線方向における、再生像の点ｃと眼３０との間の距離、つまり、再生像と眼３０との間の距離を示す。再生像は、表示モジュール２１の背後の位置に存在する。つまり、表示モジュール２１が、再生像と眼３０との間の位置に存在する。
【００７２】
要素画素群２１１の一点からの光は、当該点とマイクロレンズ２３１の中心を通る直線方向に平行に進む。この直線方向は、主光線４１と一致する。主光線４１を要素画素群２１１の背後に伸ばした線は、再生像の点ｃを通過する。
【００７３】
マイクロレンズ２３１からの平行光は、ユーザの眼３０に入射する。異なる要素画像５３１の同一点からの光の主光線４１を要素画素群２１１の背後に伸ばした線は、再生像の点ｃで交差する。ユーザは、視認方向における点ｃと重なる光を、再生像の点ｃからの光として認識する。
【００７４】
図８Ａが示す状態において、眼３０の視力は遠視であり、再生像からの光の焦点位置（不図示）は、網膜の奥である。この状態において、ユーザが眼３０により視認する再生像はぼやけており、はっきりと視認することができない。
【００７５】
図８Ｂに、液晶レンズ２５１による再生像の補正を模式的に示す。図８Ｂは、距離Ｙの再生像を遠視のためにはっきりと視認できないユーザのための補正を示す。液晶レンズ２５１は、ディオプタｄ３を有する。ディオプタｄ３は正の値であり、液晶レンズ２５１は凸レンズとして機能する。
【００７６】
本例において、液晶レンズ２５１は、マイクロレンズ２３１からの平行光の発散度を小さくして（収束度を大きくして）、入射した平行光を収束光に変化させる。液晶レンズ２５１は、主光線４１の進行方向を維持しつつ、周辺光線４３の発散度を小さくする。主光線４１は、液晶レンズ２５１が存在しない（液晶レンズのディオプタが０）である場合と同様に、点ｃを通過する。
【００７７】
液晶レンズ２５１からの発散光は、ユーザの眼３０に入射する。眼３０への入射角度の変化により、眼３０への入射光の焦点が網膜の奥の位置から網膜上の位置Ｆ０に移動する。液晶レンズ２５１が、周辺光線の拡がり度合いをこのように変化させることで、距離Ｙの再生像が補正されて、眼３０による再生像のはっきりとした視認を可能とする。液晶レンズ２５１による補正は、再生像をユーザの眼３０のより遠くに移動することに相当する。遠視の眼３０は、再生像が遠くに移動することで、その光を網膜上に集光することができる。
【００７８】
図９Ａ及び図９Ｂに、図８Ａ及び図８Ｂを参照した説明を、左右の眼の双方に適用する例を示す。図９Ａは、液晶レンズアレイ２５が省略されている、又は、そのディオプタが０である構成を示す。一つの要素画像の再生像の一点に対応する点からの光は、マイクロレンズ２３１Ｂを通過して、左眼３０Ｌに入射する。他の要素画像の再生像の上記一点に対応する点からの光は、マイクロレンズ２３１Ａを通過して、右眼３０Ｒに入射する。
【００７９】
上述のように要素画像の一点から発散光は、マイクロレンズにより、平行光に変換される。マイクロレンズ２３１Ａ、２３１Ｂからの光の主光線をマイクロレンズ２３１Ａ、２３１Ｂの背後に延ばした先に、点ｃが存在する。点ｃは、上記再生像の一点の位置である。
【００８０】
図９Ａの例において、右眼３０Ｒの視力は弱遠視であり、左眼３０Ｌの視力は強遠視である。右眼３０Ｒ及び左眼３０Ｌの焦点は共に網膜の奥であり、ユーザは右眼３０Ｒ及び左眼３０Ｌいずれによっても、再生像をはっきりと視認することができない。
【００８１】
図９Ｂに示すように、マイクロレンズ２３１Ａの前に液晶レンズ２５１Ａが配置され、マイクロレンズ２３１Ｂの前に液晶レンズ２５１Ｂが配置されている。液晶レンズ２５１Ａ及び液晶レンズ２５１Ｂは、それぞれ、マイクロレンズ２３１Ａ及びマイクロレンズ２３１Ｂからの光の進路を補正する。
【００８２】
表示制御部１０の液晶レンズ制御部１３は、液晶レンズ２５１Ａ及び液晶レンズ２５１Ｂのディオプタを独立に制御する。液晶レンズ制御部１３は、液晶レンズ２５１Ａ及び液晶レンズ２５１Ｂが正のディオプタを持つように制御する。さらに、液晶レンズ制御部１３は、液晶レンズ２５１Ｂのディオプタｄ６を、液晶レンズ２５１Ａのディオプタｄ５をよりも大きい値に設定する。
【００８３】
液晶レンズ２５１Ａ及び液晶レンズ２５１Ｂのからの主光線を表示モジュール２１の背後に延ばした線は、共に点ｃを通過する。液晶レンズ２５１Ａからの収束光は弱遠視の右眼３０Ｒに入射し、液晶レンズ２５１Ｂからの収束光は強遠視の左眼３０Ｌに入射する。
【００８４】
液晶レンズ２５１Ｂからの光の発散度は、液晶レンズ２５１Ａからの光の発散度よりも小さい。つまり、液晶レンズ２５１Ｂからの光の収束度は、液晶レンズ２５１Ａからの光の収束度よりも大きい。したがって、強遠視の左眼３０Ｌ及び弱遠視の右眼３０Ｒ共に、無理なく光を網膜上に集光することができる。
【００８５】
上述のように、右眼の視力と左眼の視力に差が存在する場合に、右眼の視力に対応する液晶レンズと左眼の視力に対応する液晶レンズを独立に制御することで、適切に視力補正を実現できる。
【００８６】
［表示モジュール及び液晶レンズの制御］
以下において、表示制御部１０による、表示モジュール２１及び液晶レンズアレイ２５の制御を説明する。表示制御部１０は、ユーザから入力されたユーザの視力情報及び入力デバイスの操作によるユーザ入力に応じて、視力補正表示モジュール２０を制御する。
【００８７】
図１０に、表示制御部１０の処理フローを示す。表示制御部１０は、入力デバイス１２７からユーザにより入力された視力情報５１を取得する（Ｓ１０１）。視力情報５１は、補助記憶装置１２５に格納されていてもよい。表示制御部１０は、ユーザ指定に応じて補助記憶装置１２５から視力情報５１を取得する。
【００８８】
視力情報５１は、例えば、右眼及び左眼それぞれの度数をディオプタによって示す。眼のディオプタは、例えば、レンズと同一の基準で示される。例えば、近視は、負のディオプタで示され、遠視は正のディオプタで示される。
【００８９】
要素画像生成部１１は、視力情報５１に基づいて、再生像の位置を決定する（Ｓ１０２）。例えば、要素画像生成部１１は、視力情報５１が近視を示す場合、表示モジュール２１の前において、表示モジュール２１から規定距離の位置を、再生像の位置と決定する。視力情報５１が遠視を示す場合、表示モジュール２１の背後において、表示モジュール２１から規定距離の位置を、再生像の位置と決定する。
【００９０】
要素画像生成部１１は、視力情報５１が示す度数に応じて、再生像と表示モジュール２１からの距離を変更してもよい。要素画像生成部１１は、予め設定された関数又は変換テーブル（これらは変換情報である）を保持しており、視力情報５１が示す右眼及び／又は左眼の度数から、再生像と表示モジュール２１との間の距離を決定する。近視又は遠視の度数が大きい程、再生像と表示モジュール２１からの距離が大きくなる。近視の再生像が表示モジュール２１の前に位置し、遠視の再生像が表示モジュール２１の背後に位置することは、規定距離を使用する上記の方法と同様である。
【００９１】
要素画像生成部１１は、決定した再生像の位置に基づいて、元画像５３から表示モジュール２１が表示する複数の要素画像（からなる一つの表示画像）を生成する。図２Ａ、２Ｂ、７Ａ及び７Ｂを参照して説明したように、再生像と表示モジュール２１との位置関係によって、要素画像の向きが異なる。
【００９２】
要素画像生成部１１は、表示モジュール２１における要素画素群それぞれの要素画像を、予め定められているモデルに従って生成する。要素画像の生成は公知の技術であり詳細な説明を省略する。視力情報５１に応じて再生像と表示モジュール２１との間の距離を変化させる構成において、要素画像生成部１１は、当該距離に基づいて、要素画像それぞれの形状及び要素画素群における位置を変化させることで、再生像の位置を変化させることができる。
【００９３】
液晶レンズ制御部１３は、視力情報５１に基づいて、液晶レンズアレイ２５を調整する（Ｓ１０４）。具体的には、液晶レンズ制御部１３は、右眼及び左眼それぞれの視力情報及び再生像の位置に基づいて、液晶レンズの右眼用のディオプタと左眼用のディオプタを決定する。
【００９４】
要素画像生成部１１は、予め設定された関数又は変換テーブル（これらは変換情報である）を保持しており、視力情報５１が示す右眼の度数（視力）、及び、再生像の位置から、右眼の度数に応じた一つのディオプタ値を決定する。さらに、要素画像生成部１１は、上記変換情報を使用して、視力情報５１が示す左眼の度数（視力）、及び、再生像の位置から、左眼の度数に応じた一つのディオプタ値を決定する。
【００９５】
液晶レンズ制御部１３は、特定の液晶レンズを決定した二つのディオプタ値の一方を示すように制御し、他の液晶レンズを決定した二つのディオプタ値の他方を示すように制御する。液晶レンズアレイ２５の調整の詳細は後述する。このように、液晶レンズ制御部１３は、視力情報５１を参照して、ユーザの右眼の視力及び左眼の視力に対して液晶レンズアレイ２５を制御する。
【００９６】
再生像の位置は、表示モジュール２１の前又は背後及び表示モジュール２１からの距離で表わされる。距離は上述のように規定値又は視力情報５１に応じて決定される変数である。要素画像生成部１１は、全ての液晶レンズに共通のディオプタを、右眼及び／又は左眼の度数と、再生像の位置と、に基づき、決定してもよい。全ての液晶レンズのディオプタが共通の場合は、液晶レンズ制御部１３は、全ての液晶レンズを共通のディオプタ値を示すように制御する。
【００９７】
次に、表示制御部１０は、再生像を表示する（Ｓ１０５）。具体的には、要素画像生成部１１は、生成した複数の要素画像を含む一つの表示画像のデータを、表示モジュール２１に送信する。表示モジュール２１は、受信した画像データに応じて、複数の要素画像それぞれを、所定要素画素群において表示する。
【００９８】
ユーザは表示された再生像を視認して、液晶レンズアレイ２５の再調整の有無を決定する。液晶レンズアレイ２５の再調整を行う場合、ユーザは右眼又は左眼の一方を入力デバイス１２７で指定し、指定した眼の視力に対応する液晶レンズを入力デバイス１２７によりマニュアルで調整する。
【００９９】
液晶レンズ制御部１３は、入力デバイス１２７から、右眼又は左眼のうちの一方の指定を受信する。液晶レンズ制御部１３は、指定された眼の視力に応じたディオプタを有する液晶レンズを同定する。左眼の視力及び右眼の視力と、対応する液晶レンズとの関係は後述する。液晶レンズ制御部１３は、同定した液晶レンズを指定して、対応する要素画像を選択的に表示する（他の要素画像を消去する）ように、要素画像生成部１１に指示する。これにより、ユーザが指定した眼のために液晶レンズの調整をよりしやすくなる。
【０１００】
要素画像生成部１１は、指定された液晶レンズに対向する要素画素群の要素画像のみからなる画像データを表示モジュール２１に送信する。ここで、一つの要素画素群に対向する液晶レンズの数は一つであるとする。なお、全ての要素画像が表示されたままでもよい。
【０１０１】
液晶レンズ制御部１３は、入力デバイス１２７を介して、ユーザから指定された眼に対する液晶レンズのディオプタを増減する指示を受信する（Ｓ１０６）。ユーザは、選択した眼の視力に応じて、液晶レンズのディオプタの増減を指示する。液晶レンズ制御部１３は、ユーザ指示に応じて、同定された液晶レンズのディオプタを変化させる（Ｓ１０７）。このように、液晶レンズ制御部１３は、ユーザから入力に従って、指定された眼の視力に対して液晶レンズアレイ２５を制御する。ユーザからからの終了指示を受けて、液晶レンズ制御部１３は、指定された眼に対する、液晶レンズの調整を終了する。
【０１０２】
液晶レンズ制御部１３は、入力デバイス１２７から、右眼又は左眼のうちの他方の指定を受信する。液晶レンズ制御部１３は、指定された眼の視力に応じたディオプタを有する液晶レンズを同定する。液晶レンズ制御部１３は、同定した液晶レンズを指定して、対応する要素画像を選択的に表示する（他の要素画像を消去する）ように、要素画像生成部１１に指示する。
【０１０３】
要素画像生成部１１は、指定された液晶レンズに対向する要素画素群の要素画像のみからなる画像データを表示モジュール２１に送信する。なお、全ての要素画像が表示されたままでもよい。
【０１０４】
液晶レンズ制御部１３は、入力デバイス１２７を介して、ユーザから指定された眼に対する液晶レンズのディオプタを増減する指示を受信する（Ｓ１０８）。ユーザは、選択した眼の視力に応じて、液晶レンズのディオプタの増減を指示する。液晶レンズ制御部１３は、ユーザ指示に応じて、同定された液晶レンズのディオプタを変化させる（Ｓ１０９）。このように、液晶レンズ制御部１３は、ユーザから入力に従って、指定された眼の視力に対して液晶レンズアレイ２５を制御する。ユーザからからの終了指示を受けて、液晶レンズ制御部１３は、指定された眼に対する、液晶レンズの調整を終了する。
【０１０５】
なお、ステップＳ１０６〜Ｓ１０９は省略してもよい。要素画像生成部１１は、ユーザのマニュアル操作に応じて、再生像の位置を変更してもよい。要素画像生成部１１は、左右の視力に応じて再生像の二つの位置を決定してもよい。要素画像生成部１１は、左眼の視力に応じて制御される液晶レンズに対向する要素画像を、左眼視力に応じて決定した位置に再生像が形成されるように作成し、右眼の視力に応じて制御される液晶レンズに対向する要素画像を、右眼視力に応じて決定した位置に再生像が形成されるように作成してもよい。
【０１０６】
以下において、左右の眼の視力と対応する液晶レンズとの関係について説明する。図１１に、近視のユーザのために再生像を補正する視力補正表示モジュール２０を模式的に示す。液晶レンズアレイ２５の右眼用領域２５５Ｒは右眼視力に応じたディオプタを有し、左眼用領域２５５Ｌは左眼視力に応じたディオプタを有する。
【０１０７】
図１１の例において、右眼用領域２５５Ｒは、視認方向３３において見た場合に、液晶レンズアレイ２５の左半分の領域である。左眼用領域２５５Ｌは、視認方向３３において見た場合に、液晶レンズアレイ２５の右半分の領域である。右眼用領域２５５Ｒと左眼用領域２５５Ｌとの境界線は、液晶レンズアレイ２５の左右方向における中央である。なお、境界線の位置は、中央でなくてもよい。
【０１０８】
液晶レンズ制御部１３は、ユーザの視力情報及び／又はユーザ操作に応じて、右眼用領域２５５Ｒ及び左眼用領域２５５Ｌを、それぞれ独立に制御する。右眼用領域２５５Ｒの全ての液晶レンズは共通のディオプタを有し、左眼用領域２５５Ｌの全ての液晶レンズは共通のディオプタを有する。
【０１０９】
図１２に、右眼用領域２５５Ｒ及び左眼用領域２５５Ｌが接する領域近傍を模式的に示す。本例において、再生像の位置ａは、視力補正表示モジュール２０の前、液晶レンズアレイ２５から５０ｍｍである。強近視の左眼の度数（視力）は−７Ｄ、弱近視の右眼の度数（視力）は−５Ｄである。
【０１１０】
要素画素群２１１Ａに含まれる一つの画素２１５Ａからの発散光は、マイクロレンズ２３１Ａによって平行光に変化する。マイクロレンズ２３１Ａからの光は、液晶レンズ２５１Ａに入射する。液晶レンズ２５１Ａは、左眼用領域２５５Ｌに含まれる。液晶レンズ２５１Ａは、負のディオプタを有し、平行光を発散光に変化させる。液晶レンズ２５１Ａからの光は、左眼に向かう。
【０１１１】
要素画素群２１１Ｂに含まれる一つの画素２１５Ｂからの発散光は、マイクロレンズ２３１Ｂによって平行光に変化する。マイクロレンズ２３１Ｂからの光は、液晶レンズ２５１Ｂに入射する。液晶レンズ２５１Ｂは、右眼用領域２５５Ｒに含まれる。液晶レンズ２５１Ｂは、負のディオプタを有し、平行光を発散光に変化させる。液晶レンズ２５１Ｂから光は、右眼に向かう。
【０１１２】
上述のように、本例における左眼のディオプタが右眼のディオプタより小さい、つまり、近視の左眼のディオプタの絶対値が近視の右眼のディオプタの絶対値よりも大きい。したがって、左眼用領域２５５Ｌのディオプタは、右眼用領域２５５Ｒのディオプタよりも小さい、つまり、左眼用領域２５５Ｌのディオプタの絶対値は、右眼用領域２５５Ｒのディオプタの絶対値よりも大きい。
【０１１３】
図１３に、遠視のユーザのために再生像を補正する視力補正表示モジュール２０を模式的に示す。液晶レンズアレイ２５の右眼用領域２５５Ｒは右眼視力に応じたディオプタを有し、左眼用領域２５５Ｌは左眼視力に応じたディオプタを有する。
【０１１４】
図１３の例において、右眼用領域２５５Ｒは、視認方向３３において見た場合に、液晶レンズアレイ２５の右半分の領域である。左眼用領域２５５Ｌは、視認方向３３において見た場合に、液晶レンズアレイ２５の左半分の領域である。右眼用領域２５５Ｒと左眼用領域２５５Ｌとの境界線は、液晶レンズアレイ２５の左右方向における中央である。なお、境界線の位置は、中央でなくてもよい。
【０１１５】
液晶レンズ制御部１３は、ユーザの視力情報及び／又はユーザ操作に応じて、右眼用領域２５５Ｒ及び左眼用領域２５５Ｌを、それぞれ独立に制御する。右眼用領域２５５Ｒの全ての液晶レンズは共通のディオプタを有し、左眼用領域２５５Ｌの全ての液晶レンズは共通のディオプタを有する。
【０１１６】
図１４に、右眼用領域２５５Ｒ及び左眼用領域２５５Ｌが接する領域近傍を模式的に示す。本例において、再生像の位置ｃは、視力補正表示モジュール２０の背後、液晶レンズアレイ２５から１００ｍｍである。強遠視の左眼の度数（視力）は２Ｄ、弱遠視の右眼の度数（視力）は１Ｄである。
【０１１７】
要素画素群２１１Ａに含まれる一つの画素２１５Ａからの発散光は、マイクロレンズ２３１Ａによって平行光に変化する。マイクロレンズ２３１Ａからの光は、液晶レンズ２５１Ａに入射する。液晶レンズ２５１Ａは、右眼用領域２５５Ｒに含まれる。液晶レンズ２５１Ａは、正のディオプタを有し、平行光を収束光に変化させる。液晶レンズ２５１Ａからの光は、右眼に向かう。
【０１１８】
要素画素群２１１Ｂに含まれる一つの画素２１５Ｂからの発散光は、マイクロレンズ２３１Ｂによって平行光に変化する。マイクロレンズ２３１Ｂからの光は、液晶レンズ２５１Ｂに入射する。液晶レンズ２５１Ｂは、左眼用領域２５５Ｌに含まれる。液晶レンズ２５１Ｂは、正のディオプタを有し、平行光を収束光に変化させる。液晶レンズ２５１Ｂから光は、左眼に向かう。
【０１１９】
上述のように、本例における遠視左眼のディオプタが遠視右眼のディオプタより大きい。したがって、左眼用領域２５５Ｌのディオプタは、右眼用領域２５５Ｒのディオプタよりも大きい。
【０１２０】
上述の例において、液晶レンズ制御部１３は、液晶レンズアレイ２５を左右方向において分割した一方の半分を右眼の視力に応じて制御し、他方の半分を左眼の視力に応じて制御する。この制御は、表示モジュール２１及び液晶レンズアレイ２５の左右方向における中央と、ユーザの左右の眼の中央とが略一致する状態を想定している。
【０１２１】
図１５に示すように、右眼用領域２５５Ｒと左眼用領域２５５Ｌとが接する領域の近傍で表示される要素画像５３１Ａ、５３１Ｂ及び５３１Ｃは、右眼３０Ｒ及び左眼３０Ｌの双方によって視認され得る。
【０１２２】
［他の実施例］
図１６に、液晶レンズアレイ２５のディオプタ制御の他の例を示す。液晶レンズアレイ２５は、左右方向に三つの領域２５５Ａ、２５５Ｂ、及び２５５Ｃに分割して制御される。領域の境界は、左右方向に垂直な上下方向に延びる。一例において、端の領域２５５Ａ、２５５Ｃの幅は同一であり、中央の領域２５５Ｂの幅は、他の領域２５５Ａ、２５５Ｃの幅よりも狭い。これら領域の幅は設計によって適切に決定される。
【０１２３】
液晶レンズ制御部１３は、領域２５５Ａを一方の眼の視力に応じて制御し、領域２５５Ｃを他方の眼の視力に応じて制御し、中央の領域２５５Ｂをより悪い視力、つまり、度数（ディオプタ）の絶対値が大きい視力に応じて制御する。
【０１２４】
図１６において、左眼３０Ｌが強近視（−７Ｄ）であり、右眼３０Ｒが弱近視（−５Ｄ）である。視力補正表示装置１は、再生像を表示モジュール２１の前に表示する。液晶レンズ制御部１３は、領域２５５Ａを左眼３０Ｌの視力に応じて制御し、領域２５５Ｃを右眼３０Ｒの視力に応じて制御する。左眼３０Ｌの視力が右眼の視力よりも悪いため、液晶レンズ制御部１３は、中央の領域２５５Ｂを左眼３０Ｌの視力に応じて制御する。例えば、中央の領域２５５Ｂのディオプタは、領域２５５Ａのディオプタと同一である。この制御により、よりはっきりと再生像をユーザに視認させることができる。
【０１２５】
上述のように、表示制御部１０は、ユーザのマニュアル操作に応じた液晶レンズアレイ２５の制御において、選択された眼の視力に応じて制御される液晶レンズに対向する画素の要素画像を選択的に表示する。表示制御部１０は、より悪い視力の眼のための液晶レンズの調整のために、中央の領域２５５Ｂに対向する要素画像を表示し、他方の眼のための液晶レンズの調整において中央の領域２５５Ｂに対向する画素を消灯する。
【０１２６】
次に、視力補正表示装置１の他の構成例を説明する。図１７に、視力補正表示装置１の論理構成例を模式的に示す。視力補正表示装置１は、図１Ａを参照して説明した構成に加え、視線追跡センサ６１及び視線追跡解析部１５を含む。他の部分は、図１Ａの構成と同様である。
【０１２７】
視線追跡センサ６１は、ユーザの右眼及び左眼の視線を測定及び追跡する。視線追跡解析部１５は、視線追跡センサ６１からの測定データから、右眼及び左眼の視線の開始点及びそれらの方向（視線情報）を特定する。視線の開始点は、眼の位置に対応する。視線追跡解析部１５は、視線情報を液晶レンズ制御部１３に送信する。
【０１２８】
例えば、液晶レンズ制御部１３は、視線情報に基づいて、液晶レンズアレイ２５を制御する。具体的には、液晶レンズ制御部１３は、視線情報に基づいて、右眼の視力に基づき制御する液晶レンズと左眼の視力に基づき制御する液晶レンズを決定する。
【０１２９】
例えば、液晶レンズ制御部１３は、液晶レンズアレイ２５上の右眼と左眼の視線の中点を特定し、その中点を左眼用領域２５５Ｌと右眼用領域２５５Ｒの境界に含めるように、左眼用領域２５５Ｌと右眼用領域２５５Ｒを決定する。
【０１３０】
液晶レンズアレイ２５を３分割して制御する構成において、液晶レンズ制御部１３は、上記中点が中央領域２５５Ｂの中央線に含まれるように、三つの領域を決定する。例えば、中央領域の幅が規定値であってもよい。液晶レンズ制御部１３は、視線の角度の平均値に基づいて中央領域の幅を決定してもよい。
【０１３１】
液晶レンズ制御部１３は、視線の中点に代えて、右眼と左眼の中央の位置から液晶レンズアレイ２５の法線方向に延びる仮想線が液晶レンズアレイ２５と当たる点を使用してもよい。視線情報は、液晶レンズ制御部１３が参照する情報のみを含めばよい。
【０１３２】
例えば、液晶レンズ制御部１３は、視線情報に基づいて、液晶レンズのディオプタを決定する。上記構成例は、ユーザの眼と視力補正表示モジュール２０との間の特定の距離を仮定して、液晶レンズアレイ２５のディオプタを制御する。液晶レンズ制御部１３は、視線情報から、ユーザの眼と視力補正表示モジュール２０との間の距離を決定し、その値に応じて液晶レンズのディオプタを決定してもよい。
【０１３３】
例えば、ディオプタを決定するための変換情報（関数又はテーブル）が、距離の変数を含む。ユーザの眼と視力補正表示モジュール２０との間の距離は、例えば、左右の眼の間の中心点と、視力補正表示モジュール２０の法線方向に延びる線を使用して定義してもよい。
【０１３４】
液晶レンズ制御部１３は、視線情報に基づいて、液晶レンズアレイ２５をオンタイムで制御してもよく、再生像の表示を開始するときに、視線情報に基づいて液晶レンズアレイ２５の制御値を決定し、それら制御値を維持してもよい。
【０１３５】
上述のように、ユーザの視線情報に基づき液晶レンズアレイ２５を制御することで、ユーザの現状に応じてより適切に再生像を補正することができる。なお、要素画像生成部１１は、視線情報に基づいて、再生像を制御してもよい。例えば、左眼と右眼の位置の中央位置と視力補正表示モジュール２０との間の距離に基づいて、再生像の位置を決定してもよい。
【０１３６】
以上、本発明の実施形態を説明したが、本発明が上記の実施形態に限定されるものではない。当業者であれば、上記の実施形態の各要素を、本発明の範囲において容易に変更、追加、変換することが可能である。ある実施形態の構成の一部を他の実施形態の構成に置き換えることが可能であり、ある実施形態の構成に他の実施形態の構成を加えることも可能である。
【符号の説明】
【０１３７】
１  視力補正表示装置、１０  表示制御部、１１  要素画像生成部、１３  液晶レンズ制御部、１５  視線追跡解析部、１５  液晶レンズアレイ、２０  視力補正表示モジュール、２１  表示モジュール、２３  マイクロレンズアレイ、２５  液晶レンズアレイ、２７  入力デバイス、３０  眼、３０Ｌ  左眼、３０Ｒ  右眼、３３  視認方向、４１  主光線、４３  周辺光線、５１  視力情報、５３  元画像、６１  視線追跡センサ、１０２  制御装置、１２１  プロセッサ、１２２  入出力インタフェース、１２３  通信インタフェース、１２５  補助記憶装置、１２６  メモリ、１２７  入力デバイス、２１１、２１１Ａ、２１１Ｂ  要素画素群、２１５Ａ、２１５Ｂ  画素、２３１、２３１Ａ、２３１Ｂ  マイクロレンズ、２５１、２５１Ａ、２５１Ｂ  液晶レンズ、２５５Ａ、２５５Ｂ、２５５Ｃ  液晶レンズアレイの領域、２５５Ｌ  左眼用領域、２５５Ｒ  右眼用領域、５３１、５３１Ａ、５３１Ｂ、５３１Ｃ  要素画像
【図１Ａ】
2019056738.tif 000003
【図１Ｂ】
2019056738.tif 000004
【図１Ｃ】
2019056738.tif 000005
【図２Ａ】
2019056738.tif 000006
【図２Ｂ】
2019056738.tif 000007
【図３Ａ】
2019056738.tif 000008
【図３Ｂ】
2019056738.tif 000009
【図４Ａ】
2019056738.tif 000010
【図４Ｂ】
2019056738.tif 000011
【図５Ａ】
2019056738.tif 000012
【図５Ｂ】
2019056738.tif 000013
【図６】
2019056738.tif 000014
【図７Ａ】
2019056738.tif 000015
【図７Ｂ】
2019056738.tif 000016
【図８Ａ】
2019056738.tif 000017
【図８Ｂ】
2019056738.tif 000018
【図９Ａ】
2019056738.tif 000019
【図９Ｂ】
2019056738.tif 000020
【図１０】
2019056738.tif 000021
【図１１】
2019056738.tif 000022
【図１２】
2019056738.tif 000023
【図１３】
2019056738.tif 000024
【図１４】
2019056738.tif 000025
【図１５】
2019056738.tif 000026
【図１６】
2019056738.tif 000027
【図１７】
2019056738.tif 000028